(57)【特許請求の範囲】
【請求項１】
少なくとも第１及び第２の細長材を有する展開バックル式の締め輪クラスプであって、
前記第１の細長材（１）は、着用位置である閉位置と開位置との間を動くように第１の端によって前記第２の細長材（２）にヒンジ付けされており、
前記閉位置では、前記第１の細長材（１）が前記第２の細長材（２）に折り畳まれ、前記開位置では、前記第１の細長材（１）は、前記第２の細長材（２）から解放され、
前記第２の細長材（２）は、第２の端において、第１の締め輪ストランド（１００）を固定する固定メンバー（２０）を支えており、前記第１の細長材（１）に第２の締め輪ストランド（１０１）が少なくとも間接的に接続されており、
前記第１の細長材（１）は、前記第１の細長材（１）をその閉位置に保持することができる第１のロック手段を有し、
前記固定メンバー（２０）は、前記締め輪の有効長さを調整する調整手段を有し、この調整手段は、
前記第２の細長材（２）の第２の端に固定され回転可能にヒンジ付けされている基礎プレート（２１）と前記第２の細長材（２）のブリッジ（４０）との構成であって、前記第１の締め輪ストランド（１００）が該ブリッジ（４０）を通り抜けて前記基礎プレート（２１）の下を通ることができるよう構成された基礎プレート（２１）とブリッジ（４０）との構成と、及び
前記第２の細長材（２）上の前記閉位置に前記基礎プレート（２１）をロックする第２のロック手段とを有し、
前記第２のロック手段は、ユーザーの行為に応じて、安置されている第１の位置と押し込まれている第２の位置の間を前記締め輪の長手方向に動くように構成している押し部品（２４）を有し、
前記安置されている第１の位置では、前記基礎プレート（２１）は前記第２の細長材（２）上の閉位置にロックされており、
前記押し込まれている第２の位置では、前記基礎プレート（２１）は前記第２の細長材（２）から解放され、さらに、
前記押し部品（２４）のアーム（２４１）にはＬ字形の溝（２２１）が設けられ、
前記第２の細長材（２）のブリッジ（４０）の側壁（４１及び４２）のうちの一方には前記Ｌ字形の溝（２２１）と連係するピン（２４２）が設けられている
ことを特徴とする締め輪クラスプ。
【請求項２】
少なくとも第１及び第２の細長材を有する展開バックル式の締め輪クラスプであって、
前記第１の細長材（１）は、着用位置である閉位置と開位置との間を動くように第１の端によって前記第２の細長材（２）にヒンジ付けされており、
前記閉位置では、前記第１の細長材（１）が前記第２の細長材（２）に折り畳まれ、前記開位置では、前記第１の細長材（１）は、前記第２の細長材（２）から解放され、
前記第１の細長材（１）は、第２の端において、第１の締め輪ストランド（１００）を固定する固定メンバー（２０）を支えており、前記第２の細長材（２）に第２の締め輪ストランド（１０１）が少なくとも間接的に接続されており、
前記第１の細長材（１）は、前記第１の細長材（１）をその閉位置に保持することができる第１のロック手段を有し、
前記固定メンバー（２０）は、前記締め輪の有効長さを調整する調整手段を有し、この調整手段は、
前記第１の細長材（１）の第２の端に固定された基礎プレート（２１）と、
前記基礎プレート（２１）に回転可能にヒンジ付けされたカバー（２２）であって、前記第１の締め輪ストランド（１００）が前記基礎プレート（２１）と当該カバー（２２）の間を通り保持手段によって保持されているようなカバー（２２）と、及び
前記基礎プレート（２１）上の前記閉位置に前記カバー（２２）をロックする第２のロック手段とを有し、
前記第２のロック手段は、ユーザーの行為に応じて、安置されている第１の位置と押し込まれている第２の位置の間を前記締め輪の長手方向に動くように構成している押し部品（２４）を有し、
前記安置されている第１の位置では、前記カバー（２２）は前記基礎プレート（２１）上の閉位置にロックされており、
前記押し込まれている第２の位置では、前記カバー（２２）は前記基礎プレート（２１）から解放され、さらに、
前記カバー（２２）には、その側壁（２２０）のそれぞれの内側面の前記カバー（２２）の端の近くに、Ｌ字形の溝（２２１）が設けられ、
前記押し部品（２４）は、その各縁上にピン（２４２）を有し、そのピン（２４２）のそれぞれは、対応する前記カバー（２２）のＬ字形の溝（２２１）と連係するように構成されている
ことを特徴とする締め輪クラスプ。
【請求項３】
前記第２のロック手段は、前記押し部品（２４）を閉位置で保持するように前記押し部品（２４）と連係するように構成している戻し手段を有する
ことを特徴とする請求項１に記載の締め輪クラスプ。
【請求項４】
前記戻し手段は、少なくとも１つのばね（２３０）を有する
ことを特徴とする請求項３に記載の締め輪クラスプ。
【請求項５】
前記基礎プレート（２１）は、前記押し部品（２４）をガイドする手段を有する
ことを特徴とする請求項１〜４のいずれかに記載の締め輪クラスプ。
【請求項６】
前記戻し手段は、前記押し部品（２４）をガイドする手段にて安置される
ことを特徴とする請求項３に記載の締め輪クラスプ。
【請求項７】
前記基礎プレート（２１）は、その上側面の上に上側スタッド（３０）を有し、この上側スタッド（３０）は、前記締め輪ストランド（１００）にある適切な穴内に挿入されてアンカー点を定めるように意図されている
ことを特徴とする請求項２に記載の締め輪クラスプ。
【請求項８】
前記第１の締め輪ストランド（１００）は、前記調整手段を通って挿入され、
前記調整手段は前記カバー（２２）とヒンジ付けされる前記基礎プレート（２１）を有する
ことを特徴とする請求項２に記載の締め輪クラスプ。
【請求項９】
前記第１の締め輪ストランド（１００）は、前記調整手段を通って挿入され、
前記調整手段は前記第２の細長材（２）にヒンジ付けされる前記基礎プレート（２１）を有することを特徴とする請求項１に記載の締め輪クラスプ。
【請求項１０】
請求項１〜９のいずれかに記載の締め輪クラスプを有する
ことを特徴とする腕時計。
【請求項１１】
固定具にストランドを固定する固定モジュールであって、
この固定具は、ストランドの長さを調整する調整手段を有し、この調整手段は、
基礎プレート（２１）と、
前記基礎プレート（２１）に回転可能にヒンジ付けされたカバー（２２）であって、前記ストランドが前記基礎プレート（２１）と前記カバー（２２）の間を通り保持手段によって保持されるようなカバー（２２）と、及び
前記基礎プレート（２１）に設けられ、前記カバー（２２）を前記基礎プレート（２１）上の閉位置にロックする第２の手段と
を有し、
当該第２のロック手段は、ユーザーの行為に応じて、安置されている第１の位置と押し込まれた第２の位置との間で当該ストランドの長手方向に動くように構成する押し部品（２４）を有し、
当該安置されている第１の位置では、カバー（２２）は当該基礎プレート（２１）上の閉位置にロックされており、
当該押し込まれた第２の位置では、当該カバー（２２）は当該基礎プレート（２１）から解放され、さらに、
前記カバー（２２）には、その側壁（２２０）のそれぞれの内側面の前記カバー（２２）の端の近くに、Ｌ字形の溝（２２１）が設けられ、
前記押し部品（２４）は、その各縁上にピン（２４２）を有し、そのピン（２４２）のそれぞれは、対応する前記カバー（２２）のＬ字形の溝（２２１）と連係するように構成されている
ことを特徴とする固定モジュール。
【発明の詳細な説明】
【技術分野】
【０００１】
本発明は、調整可能なストランドを備えた締め輪ないしリストレット、特に、腕時計用の締め輪やストラップのためのものに関する。
【背景技術】
【０００２】
欧州特許ＥＰ０６０７７２６によって、細長材の端にヒンジ付けされた基礎プレートと、及び基礎プレートの上に突き出るＵ字状のカバーとを有する機構を有する締め輪クラスプが知られている。このカバーの２つの自由端のそれぞれからは同じ側で側方アームが延在し、この側方アームの端は、基礎プレートの対応する側面に回転可能にマウントされている。カバーの自由端は、側方ロック手段によってロックすることができ、調整可能なストランドが、基礎プレートとカバーの間を通り、基礎プレート又はカバーの内側面から突き出るスタッドによって保持されている。
【０００３】
このような機構を操作することはユーザーにとって容易ではない。なぜなら、締め輪ストランドの長さを変えることを望む場合に、ストランドの長さを調整し基礎プレートを保持するために、爪を用いて当該機構をロック解除することが必要であるからである。さらに、機構のロックの確実性は完全というわけではない。なぜなら、カバーをつかんだ場合や締め輪の着用時に衝撃があった場合にカバーがロック解除することがあるからである。
【発明の概要】
【発明が解決しようとする課題】
【０００４】
本発明は、これらの既知の技術の様々な課題を解決することを目的とする。
【０００５】
より詳細には、本発明は、締め輪ストランドの長さを簡易かつ迅速に調整することを可能にする締め輪クラスプを提供することを目的とする。
【０００６】
また、本発明は、少なくとも特定の実施形態において、実装が単純で低コストであるようなクラスプを提供することを目的とする。
【課題を解決するための手段】
【０００７】
これらの目的は、下記において明確に示される他の課題とともに、本発明によって、少なくとも第１及び第２の細長材を有する展開バックル式の締め輪クラスプによって達成される。これにおいて、前記第１の細長材は、着用位置である閉位置と開位置との間を動くように第１の端によって前記第２の細長材にヒンジ付けされており、
前記閉位置では、前記第１の細長材が前記第２の細長材に折り畳まれ、前記開位置では、前記第１の細長材は、前記第２の細長材から解放され、
前記第１の細長材は、第２の端において、第１の締め輪ストランドを固定する固定メンバーを支えており、前記第２の細長材に第２の締め輪ストランドが少なくとも間接的に接続されており、
前記第１の細長材は、前記第１の細長材をその閉位置に保持することができる第１のロック手段を有し、
前記固定メンバーは、前記締め輪の有効長さを調整する調整手段を有し、この調整手段は、
前記第２の細長材の第２の端に固定され回転可能にヒンジ付けされている基礎プレートであって、前記第１の締め輪ストランドが前記基礎プレートと前記第２の細長材の間を通り保持手段によって保持されているような基礎プレートと、及び
前記第２の細長材上の前記閉位置に前記基礎プレートをロックする第２のロック手段とを有する。
【０００８】
本発明によると、前記第２のロック手段は、ユーザーの行為に応じて、安置されている第１の位置と押し込まれている第２の位置の間を前記締め輪の長手方向に動くように構成している押し部品を有し、前記安置されている第１の位置では、前記基礎プレートは前記第２の細長材上の閉位置にロックされており、前記押し込まれている第２の位置では、前記基礎プレートは前記第２の細長材から解放されている。
【０００９】
本発明は、さらに、少なくとも第１及び第２の細長材を有する展開バックル式の締め輪クラスプに関し、
前記第１の細長材は、着用位置である閉位置と開位置との間を動くように第１の端によって前記第２の細長材にヒンジ付けされており、
前記閉位置では、前記第１の細長材が前記第２の細長材に折り畳まれ、前記開位置では、前記第１の細長材は、前記第２の細長材から解放され、
前記第１の細長材は、第２の端において、第１の締め輪ストランドを固定する固定メンバーを支えており、前記第２の細長材に第２の締め輪ストランドが少なくとも間接的に接続されており、
前記第１の細長材は、前記第１の細長材をその閉位置に保持することができる第１のロック手段を有する。
【００１０】
前記固定メンバーは、前記締め輪の有効長さを調整する調整手段を有し、この調整手段は、
前記第２の細長材の第２の端に固定された基礎プレートと、
前記基礎プレートに回転可能にヒンジ付けされたカバーであって、前記第１の締め輪ストランドが前記基礎プレートと当該カバーの間を通り保持手段によって保持されているようなカバーと、及び
前記基礎プレート上の前記閉位置に前記カバーをロックする第２のロック手段とを有する。
【００１１】
本発明によると、前記第２のロック手段は、ユーザーの行為に応じて、安置されている第１の位置と押し込まれている第２の位置の間を前記締め輪の長手方向に動くように構成している押し部品を有し、
前記安置されている第１の位置では、前記カバーは前記基礎プレート上の閉位置にロックされており、
前記押し込まれている第２の位置では、前記カバーは前記基礎プレートから解放されている。
【００１２】
本発明の他の好ましい変種によると、以下の特徴を有する。
−  前記カバーには、その側壁のそれぞれの内側面の前記カバーの端の近くに、Ｌ字形の溝が設けられている。
−  前記基礎プレートには、その側方の縁のそれぞれにＬ字形の溝が設けられている。
−  前記押し部品は、その各縁上にピンを有し、そのピンのそれぞれは、対応するＬ字形の溝と連係するように構成している。
−  前記第２の細長材は、前記基礎プレートを受ける端においてブリッジを有し、このブリッジは、その各縁上にピンを有し、各ピンは、対応するＬ字形の溝と連係するように構成している。
−  前記第２のロック手段は、前記押し部品を閉位置で保持するように前記押し部品と連係するように構成している戻し手段を有する。
−  前記戻し手段は、少なくとも１つのばねを有する。
−  前記基礎プレートは、前記押し部品をガイドする手段を有する。
−  前記戻し手段は、前記押し部品をガイドする手段にて安置される。
−  前記基礎プレートは、その上側面の上に上側スタッドを有し、この上側スタッドは、前記締め輪ストランドにある適切な穴内に挿入されてアンカー点を定めるように意図されている。
−  前記第１の締め輪ストランドは、前記調整手段を通って挿入され、前記調整手段にて前記カバーが前記基礎プレートにヒンジ付けされる。
−  前記第１の締め輪ストランドは、前記調整手段を通って挿入され、前記調整手段にて前記基礎プレートが前記第２の細長材にヒンジ付けされる。
【００１３】
本発明は、さらに、本発明に係るクラスプを備える締め輪を有する腕時計に関する。
【００１４】
本発明は、さらに、固定具にストランドを固定する固定モジュールに関し、
この固定具は、ストランドの長さを調整する調整手段を有する固定メンバーを有し、この調整手段は、基礎プレートと、前記基礎プレートに回転可能にヒンジ付けされたカバーであって、前記ストランドが前記基礎プレートと前記カバーの間を通り保持手段によって保持されるようなカバーと、及び
前記基礎プレートに設けられ、前記カバーを前記基礎プレート上の閉位置にロックする第２の手段とを有し、
当該第２のロック手段は、ユーザーの行為に応じて、安置されている第１の位置と押し込まれた第２の位置との間で締め輪の長手方向に動くように構成する押し部品を有し、当該安置されている第１の位置では、カバーは当該基礎プレート上の閉位置にロックされており、当該押し込まれた第２の位置では、当該カバーは当該基礎プレートから解放されている。
【００１５】
このように、上記の様々な機能的及び構造的な特徴があることで、本発明によって、特に簡易的かつ迅速な手法で、ストランドの有効長さを調整することができるクラスプを得ることが可能になる。
【００１６】
本発明の特定の実施形態についての以下の説明（単なる例であってこれに制限されない）を添付の図面とともに読むことで、本発明の他の特徴及び利点を明確に理解することができるであろう。
【図面の簡単な説明】
【００１７】
【図１】本発明に係るクラスプの斜視図である。
【図２】本発明に係る第２のクラスプロック手段の分解図である。
【図３】図３ａは、本発明に係る第２のクラスプロック手段の平面図である。図３ｂは、本発明に係る第２のクラスプロック手段の図３ａの線Ａ−Ａに沿った断面図である。
【図４】本発明の第２の実施形態に係るクラスプの斜視図である。
【図５】本発明の第３の実施形態に係るクラスプの斜視図である。
【図６】図６ａ及び６ｂは、本発明の第３の実施形態に係るクラスプの斜視図である。
【発明を実施するための形態】
【００１８】
以下、図１、２、３ａ及び３ｂをともに参照して、第１の例示的実施形態に係る調整可能なストランドを備えた締め輪クラスプについて説明する。
【００１９】
第１の実施形態によると、本発明は、少なくとも第１及び第２の細長材を有する展開バックル式の締め輪クラスプに関し、第１の細長材１は、第１の端によって第２の細長材２にヒンジ付けされており、着用位置である閉位置と開位置との間を動く。閉位置では、第１の細長材１が第２の細長材２に折り畳まれ、開位置では、第１の細長材１が第２の細長材２から解放されている。
【００２０】
第１の細長材１は、第２の端において、第１の締め輪ストランド１００を固定するためのメンバー２０を支えており、取り付けリンク１１などによって第２の細長材２に第２の締め輪ストランド１０１が少なくとも間接的に接続されており、第１の細長材１は、第１の細長材１をその閉位置に保持することができる第１のロック手段を有する。
【００２１】
ストランド１００、１０１は、皮革、織物、キャンバス地のような材料、あるいは締め輪やベルトの生産用に当業者に知られている他の材料によって製造することができる。
【００２２】
第１のロック手段は、例えば、下側スタッド３１と呼ばれるスタッドを保持及び／又は解放するように構成している少なくとも１つのばねキャッチ３２によって、形成することができる。これによって、第１の細長材１を第２の細長材２に対して閉位置に保持したり、第１の細長材１を解放位置へと解放したりすることができる。
【００２３】
第２の細長材２には、例えば、その中心において貫通開口を設けることができ、これは、中央開口２５と呼ばれる。中央開口２５は、下側スタッド３１がばねキャッチと連係するように、下側スタッド３１を受けるように構成している。もちろん、当業者であれば、本発明の範囲内で他のロック手段を思い描くことができる。
【００２４】
図１及び２にて観察することができるように、固定メンバー２０は、締め輪の有効長さを調整する調整手段を有し、この調整手段は、
−  第１の細長材１の第２の端に回転可能にヒンジ付けされており、棒体１０によって保持されている基礎プレート２１と、及び
−  基礎プレート２１に回転可能にヒンジ付けされており、棒体１０によって基礎プレート２１にその側方の縁を介して保持されている逆Ｕ字形のカバー２２と
を有する。
【００２５】
基礎プレート２１とカバー２２のこのような構成によって、第１のストランド１００が、基礎プレート１１とカバー２２の間を通ることが可能になる。好ましいことに、第１のストランド１００は、カバー２２が基礎プレート２１にヒンジ付けされている調整手段を通り抜ける。図面において観察することができるように、第１のストランド１００は、上側スタッド３０と呼ばれるスタッドのような保持手段を介してその位置に保持される。この保持手段は、第１のストランド１００の適切な穴に挿入されて、クラスプに対する第１のストランド１００のアンカー点を定めることを意図されている。もちろん、当業者であれば、本発明の範囲内で他の保持手段をも思い描くことができる。
【００２６】
調整手段は、さらに、カバー２２を基礎プレート２１上の閉位置に保持する第２のロック手段を有する。
【００２７】
好ましいことに、第２のロック手段は、押し部品２４によって形成されている。この押し部品２４は、ユーザーの行為に応じて、安置されている第１の位置と押し込まれている第２の位置の間を第１のストランド１００の長手方向に動くように構成している。第１の位置では、カバー２２は、基礎プレート２１上の閉位置にロックされており、第２の位置では、カバー２２は基礎プレート２１から解放されている。
【００２８】
図２に示すように、第２のロック手段は、押し部品２４に対して力をはたらかせるように構成する、ばね２３０のような戻し手段を有する。これによって、押し部品２４を閉位置に保持する。
【００２９】
基礎プレート２１は、押し部品２４のガイド手段とばね２３０を有し、このガイド手段はそれぞれ、押し部品２４のための基礎プレート２１及び各ばね２３０のためのガイドシリンダー２１１の両側にあるガイド溝２１０の形態となっている。このようにして、ばね２３０は、ガイドシリンダー２１１の中で水平方向に保持される。
【００３０】
好ましいことに、ガイド溝２１０は、押し部品２４がカバー２１の側壁と連係することができるように開いている。
【００３１】
押し部品２４は、基礎プレート２１の幅と同じ幅の構造体２４０によって形成され、この構造体２４０は、その各端に配置されたアーム２４１を有し、このアーム２４１は、ガイド溝２１０の中で摺動し、ばね２３０と当接連係するように構成している。図面において観察することができるように、押し部品２４のアーム２４１はそれぞれ、ガイド溝２１０の外側の方を向いているピン２４２を有しており、これは、カバー２２の側壁２２０のうちの一方と連係する。
【００３２】
押し部品２４においては、さらに、各アーム２４１に貫通穴２４３が設けられており、各貫通穴２４３は、ばね２３０によって押し部品２４に応力が与えられている状態で、基礎プレート２１に固定されたねじ２１２が通り抜けて、押し部品２４を適所に保持することを可能にするように構成している。貫通穴２４３は、ねじ２１２よりも大きな直径を有し、穴２４３の直径とねじ２１２の直径の間の差が、押し部品２４の移動距離の長さを定める。
【００３３】
本発明によると、カバー２２には、その側壁２２０のそれぞれの内側面においてＬ字形の溝２２１が設けられている。これは、好ましくは、その端のうちの一方の近くに配置されており、Ｌ字形の溝２２１のそれぞれは、押し部品２４の対応するピン２４２と連係するように構成している。
【００３４】
図示していない変種的な実施形態によると、カバー２２は、その側壁２２０のそれぞれの内側面上にピンを有し、押し部品２４の各アーム２４１には、カバー２２の対応するピンと連係するように構成している溝が設けられている。したがって、ユーザーが押し部品２４を押すと、溝は動き、カバー２２の側壁２２０に存在するピンを解放する。
【００３５】
図３ａにおいて観察することができるように、カバー２２が閉位置にある場合、押し部品２４の構造体２４０がカバー２２からわずかに突き出て、ピン２４２がＬ字形の溝２２１の底にそのまま残るように、ばね２３０は押し部品２４に作用する。カバー２２を解放するために、ピン２４２がＬ字形の溝２２１それぞれのＬ字の「足部分」の中で止められるように、ユーザーは押し部品２４を押す。そして、ユーザーはカバー２２を持ち上げて、第１のストランド１００から上側スタッドを引き出すように第１のストランド１００を持ち上げることによって、第１のストランド１００を解放することができる。
【００３６】
本発明の特に好ましい態様によると、ユーザーは、押し部品２４を押すためとカバー２２を上げるために同じ指を用いることができる。押し部品２４が押し込まれた位置にされるときには、指はカバー２２のすぐ近くにある。
【００３７】
本発明の第２の実施形態によると、展開バックル式の締め輪クラスプは、第１、第２及び第３の細長材を有し、第１の細長材１は、その第１の端によって第２の細長材２にヒンジ付けされており、第３の細長材３は、その第１の端とは反対側の第２の端によって第２の細長材２にヒンジ付けされている。
【００３８】
第１の細長材１と第３の細長材３は、着用位置である閉位置から開位置へと変わることができる。閉位置では、第１の細長材１と第３の細長材３は、第２の細長材２に折り畳まれる。開位置では、第１の細長材１と第３の細長材３は、第２の細長材２から解放されている。
【００３９】
第１の細長材１は、その第２の端において、第１の締め輪ストランド１００を固定するメンバー２０を支えており、第２の細長材２に第２の締め輪ストランド１０１が少なくとも間接的に接続されており、第１の細長材１は、第１の細長材１をその閉位置に保持することができる第１のロック手段１０を有する。
【００４０】
図４において観察することができるように、固定メンバー２０は、第１の実施形態にあるものと同じ第１のストランド１００の長さを調整する調整手段を有する。したがって、この調整手段を再び説明しない。
【００４１】
図４において観察することができるように、第２の細長材２には、中央開口２５の両側にて対称的に配置された２つの長手方向に延在する凹部２６及び２７が設けられている。好ましいことに、長手方向に延在する凹部２６及び２７はそれぞれ、第１の細長材１と第３の細長材３に対して相補的な形を有する。
【００４２】
したがって、第１の細長材１と第３の細長材３は、第１の細長材１の第２の端と第３の細長材３の第２の端が第２の細長材２の中央開口２５のすぐ近くに安置されるように、長手方向に延在するハウジング２６及び２７において少なくとも部分的に安置されている。
【００４３】
図４に示すように、基礎プレート２１には、押し部品２４を受ける端において、くぼみ２１３が設けられている。これによって、基礎プレート２１と押し部品２４の間でハウジングを形成する。このハウジングは、第１の細長材１と第３の細長材３が閉位置にあるときに第３の細長材３の第２の端を受けるように構成している。
【００４４】
本発明のこの特定の実施形態によれば、固定メンバー２０には収容体２００が設けられている。この収容体２００には、第１の細長材１と第３の細長材３が閉位置にて第２の細長材２に折り畳まれるときに、押し部品２４の構造体２４０が収容される。
【００４５】
クラスプを閉じるために、ユーザーは、まず、第３の細長材３の第２の端が中央開口２５の上に位置するように、第３の細長材３を、第２の細長材２の対応する長手方向に延在する凹部２７に折り畳む。次に、ユーザーは、第１の細長材１を第２の細長材２の対応する長手方向に延在する凹部２６に折り畳む。これによって、第１の細長材１の第２の端は、中央開口２５の上に位置し、第３の細長材３の第２の端は、くぼみ２１３内に安置される。最後に、ユーザーが下側スタッド３１を中央開口２５に配置して第１のロック手段によってスタッドをロックすると、第１の細長材１と第３の細長材３どうしがロックされる。
【００４６】
以下、図５、６ａ及び６ｂをともに参照して、第３の例示的実施形態に係る調整可能なストランドを備えた締め輪クラスプについて説明する。
【００４７】
この第３の実施形態によると、クラスプは、着用位置である閉位置と開位置との間を動くように、第１の端によって第２の細長材２にヒンジ付けされた第１の細長材１を有する。閉位置では、第１の細長材１は、第２の細長材２に折り畳まれ、開位置では、第１の細長材１は第２の細長材２から解放されている。
【００４８】
第２の細長材２は、第２の端において、第１の締め輪ストランド１００を固定するためのメンバー２０を支えており、第２の締め輪ストランドは、アーバー１３などによって第１の細長材１に少なくとも間接的に接続することができ、第１の細長材１は、第１の細長材１をその閉位置に保持することができる第１のロック手段を有する。
【００４９】
図５において観察することができるように、第２の細長材は、その第２の端において第１のストランド１００を通すブリッジ４０を有する。ブリッジ４０は、クラスプの細長材を製造するために用いられる材料に依存して穴を開けることができる。これによって、製造コストを減らすことができる。
【００５０】
第１のロック手段は、例えば、少なくとも１つのばねキャッチ３２によって形成することができる。このばねキャッチ３２は、第２の細長材２上の上側スタッド３０’と呼ばれるスタッドを保持及び／又は解放するように構成している。これによって、第２の細長材２に対して第１の細長材１をその閉位置に保持したり、第１の細長材１をその解放位置へと解放したりする。
【００５１】
特に好ましい態様によれば、第１の細長材１は、第１の細長材１が第２の細長材２に折り畳まれるときに第２の細長材２に対して第１の細長材１を横方向にてガイドすることができるガイド要素１２を有する。このガイド要素１２の別の利点として、クラスプが閉まっているときに、第１の細長材１が側方に動くことを防ぎ、したがって摩耗を防ぎ、さらには上側スタッド３０’の破損をも防ぐということがある。
【００５２】
図５、６ａ及び６ｂにおいて観察することができるように、固定メンバー２０は、締め輪の有効長さを調整する調整手段を有する。この調整手段は、第２の細長材２の第２の端において回転可能にヒンジ付けされた基礎プレート２１を有し、この基礎プレート２１は棒体１０によって保持される。
【００５３】
このような基礎プレート２１と第２の細長材２の構成によって、第１のストランド１００が第２の細長材２のブリッジ４０を通り抜けて基礎プレート２１の下を通ることが可能になる。好ましいことに、第１のストランド１００は、調整手段を通り抜ける。ここでは、基礎プレート２１がヒンジ付けされている。図面において観察することができるように、第１のストランド１００は、下側スタッド３１’と呼ばれるスタッドのような保持手段を介してその位置に保持される。この保持手段は、第１のストランド１００の適切な穴に挿入されて、クラスプに対する第１のストランド１００のアンカー点を定めるように意図されている。もちろん、本発明の範囲内で、他の保持手段も当業者によって思い描くことができる。
【００５４】
この調整手段は、さらに、第２の細長材２上の閉位置にベースプレート２１を保持する第２のロック手段を有する。
【００５５】
好ましいことに、第２のロック手段は、押し部品２４によって形成されている。この押し部品２４は、ユーザーの行為に応じて、安置されている第１の位置と押し込まれている第２の位置との間を第１のストランド１００の長手方向に動くように構成している。この第１の位置では、基礎プレート２１が第２の細長材２上の閉位置にてロックされており、第２の位置では、基礎プレート２１は第２の細長材２から解放されている。
【００５６】
上記の各実施形態におけるように、第２のロック手段は、ばね２３０のような戻し手段を有する。これは、押し部品２４を閉位置に保持するように押し部品２４に対して力をはたらかせるように構成している。
【００５７】
基礎プレート２１は、押し部品２４のガイド手段及びばね２３０を有する。このガイド手段は、押し部品２４の基礎プレート２１及び各ばね２３０のためのガイドシリンダー２１１の両側にあるガイド溝２１０の形態である。このようにして、ばね２３０は、ガイドシリンダー２１１内で横方向に保持される。
【００５８】
押し部品２４は、構造体２４０で形成され、この構造体２４０は、基礎プレート２１の幅と同じ幅を有し、各端においてアーム２４１を有し、アーム２４１は、ガイド溝２１０の内部で摺動し、ばね２３０と当接連係するように構成している。図面において観察することができるように、押し部品２４のアーム２４１はそれぞれ、第２の細長材２のブリッジ４０の側壁４１及び４２のうちの一方と連係するために外側に向いているＬ字形の溝２２１を有する。
【００５９】
本発明によると、ブリッジ４０は、その各側壁４１、４２の内側面にピン２４２を有し、これらはそれぞれ、好ましくは、ブリッジ４０の一方の端の近くに配置されており、各ピン２４２は、押し部品２４の対応するＬ字形の溝２２１と連係するように構成している。
【００６０】
もちろん、当業者であれば、ピン２４２とＬ字形の溝２２１の位置を入れ替えることができる。したがって、ピン２４２を押し部品２４上に位置させ、Ｌ字形の溝２２１をブリッジ４０の側壁４１及び４２上に設けることもできる。
【００６１】
図５において観察することができるように、基礎プレート２１が閉位置にあるときには、ブリッジ４０のピン２４２が基礎プレート２１のＬ字形の溝２２１の底にとどまるように、ばね２３０が押し部品２４に応力を与える。基礎プレート２１を解放するために、ユーザーは、ピン２４２が各Ｌ字形の溝２２１のＬ字の「足部分」の中で止められるように押し部品２４を押す。ここで、ユーザーは、基礎プレート２１を持ち上げて、第１のストランド１００を上げることによって第１のストランド１００を解放することができる。これによって、第１のストランド１００からスタッドが抜かれる。
【００６２】
本発明は、さらに、上記のようにクラスプを備える締め輪を有する腕時計に関する。
【００６３】
本発明は、さらに、ベルト固定具のような固定具に対してストランドを固定する固定モジュールに関し、この固定モジュールは、ストランドの長さを調整する調整手段を備え、この調整する手段は、
−  第１の細長材１の第２の端及びカバー２２に固定された基礎プレート２１であって、このカバー２２が当該基礎プレート２１に回転可能にヒンジ付けされており、前記ストランドが基礎プレート２１及びカバー２２の間に通り、前記ストランドが基礎プレート２１１の上側面及び下側面に配置された保持手段によって保持されているような基礎プレート２１と、及び
−  基礎プレート２１上に設けられ、カバー２２を基礎プレート２１上の閉位置にロックする第２のロック手段とを有する。
【００６４】
本発明によると、第２のロック手段は、ユーザーの行為に応じて、カバー２２が基礎プレート２１上の閉位置にロックされる安置されている第１の位置とカバー２２が基礎プレート２１から解放されている押し込まれている第２の位置との間をストランドの長手方向に動くように構成している押し部品２４を有する。
【００６５】
本発明のこれらの異なる態様の結果、締め輪ストランドないしベルトの長さを調整する単純設計のクラスプが提供される。
【００６６】
もちろん、本発明は、図示した例に制限されず、当業者が思い描くことができる様々な変種や改変が可能である。
【符号の説明】
【００６７】
１  第１の細長材
１０  棒体
１１  取り付けリンク
１２  ガイド要素
１３  アーバー
１００  第１のストランド
１０１  第２のストランド
２  第２の細長材
２０  固定メンバー
２００  収容体
２１  基礎プレート
２１０  ガイド溝
２１１  ガイドシリンダー
２１２  ねじ
２１３  くぼみ
２２  カバー
２２０  側壁
２２１  Ｌ字形の溝
２３０  ばね
２４  押し部品
２４０  押し部品の構造体
２４１  押し部品のアーム
２４２  ピン
２４３  貫通穴
２５  中央開口
２６、２７  長手方向に延在する凹部
３  第３の細長材
３０、３０  上側スタッド
３１、３１  下側スタッド
３２  ばねキャッチ
４０  ブリッジ
４１、４２  ブリッジの側方の縁
【図１】
0006280589.tif 000002
【図２】
0006280589.tif 000003
【図３】
0006280589.tif 000004
【図４】
0006280589.tif 000005
【図５】
0006280589.tif 000006
【図６】
0006280589.tif 000007